(57)【特許請求の範囲】
【請求項１】
交流電源と複数の負荷機器との間の電力供給経路に接続される大型無停電電源装置の負荷系統情報を生成する大型無停電電源装置の負荷系統情報生成システムであって、
ネットワークと、上記複数の負荷機器の接続情報を分担して保持するとともに、上記ネットワークへ上記複数の負荷機器の接続情報を送信する複数の下位コントローラと、上記複数の下位コントローラが上記ネットワークへ送信した上記複数の負荷機器の接続情報を分担して受信する複数の中位コントローラと、上記ネットワークを介して上記複数の中位コントローラから上記複数の負荷機器の接続情報を収集する上位コントローラと、で構成し、
上記各下位コントローラは、それぞれが保持する上記負荷機器の接続情報の送信先として上記複数の中位コントローラの中のいずれか１つを指定して上記負荷機器の接続情報を送信し、さらに、
上記上位コントローラは、上記複数の中位コントローラそれぞれに対して送信要求を送信することで上記複数の中位コントローラから上記複数の負荷機器の接続情報を収集し、上記大型無停電電源装置の接続情報あるいはこの接続情報を上記ネットワークを介して収集するための情報が入力され、上記複数の負荷機器の接続情報と上記大型無停電電源装置の接続情報とを用いて上記大型無停電電源装置の上記負荷系統情報を生成することを特徴とする大型無停電電源装置の負荷系統情報生成システム。
【請求項２】
前記中位コントローラは、少なくとも、前記大型無停電電源装置が設置される建物のフロア毎にあるいは部屋毎に、配設されることを特徴とする請求項１記載の大型無停電電源装置の負荷系統情報生成システム。
【請求項３】
前記大型無停電電源装置の接続情報には、前記大型無停電電源装置と前記負荷機器との間の電力供給経路上に配設される電力機器に関する情報およびその電力機器の接続情報が含まれ、
前記上位コントローラは、上記電力機器を含めた前記大型無停電電源装置の前記負荷系統情報を生成することを特徴とする請求項１または２記載の大型無停電電源装置の負荷系統情報生成システム。
【請求項４】
前記下位コントローラおよび前記中位コントローラは、前記複数の負荷機器の接続情報とともに前記負荷機器の消費電力を送信し、
前記上位コントローラは、上記各負荷機器の消費電力に基づいて判断される前記負荷系統情報の総消費電力と、前記大型無停電電源装置の供給電力とを比較し、これらの電力同士が異なると判断される場合には、その旨を出力することを特徴とする請求項１または２記載の大型無停電電源装置の負荷系統情報生成システム。
【請求項５】
前記下位コントローラ、前記中位コントローラおよび前記上位コントローラは、前記ネットワーク上でＴＣＰ／ＩＰを用いて互いに通信するとともに、前記中位コントローラと前記上位コントローラとの間での通信パケットに含まれるＴＣＰヘッダのポート番号と、前記中位コントローラと前記下位コントローラとの間での通信に用いられる通信パケットに含まれるＴＣＰヘッダのポート番号とが互いに異なる番号となるように通信し、
前記上位コントローラは、所定の範囲のＩＰアドレスを順番に指定して、前記ネットワークに接続されている各機器の開いているポート番号を調査し、前記中位コントローラが前記上位コントローラとの通信に用いるポート番号のポートが開いている上記機器に対して前記送信要求を送信することを特徴とする請求項１または２記載の大型無停電電源装置の負荷系統情報生成システム。
【請求項６】
交流電源と複数の負荷機器との間の電力供給経路に接続される大型無停電電源装置の負荷系統情報を生成する大型無停電電源装置の負荷系統情報生成装置であって、
上記複数の負荷機器の接続情報を受信する通信インタフェース部材と、
上記大型無停電電源装置の接続情報あるいはこの接続情報を上記通信インタフェース部材に受信させるための情報が入力される入力部材と、
情報を記憶する内蔵型記憶媒体と、
上記通信インタフェース部材が受信したあるいは上記入力部材から入力された上記複数の負荷機器の接続情報および上記大型無停電電源装置の接続情報を上記内蔵型記憶媒体に記憶させる管理手段と、
上記内蔵型記憶媒体に記憶されている接続情報を用いて、上記大型無停電電源装置の上記負荷系統情報を生成する生成手段と、を備えることを特徴とする大型無停電電源装置の負荷系統情報生成装置。
【請求項７】
前記通信インタフェース部材には、ネットワークを介して、前記複数の負荷機器の接続情報を分担して保持する複数の中位コントローラが接続され、
前記管理手段は、前記通信インタフェース部材から上記複数の中位コントローラそれぞれに対して送信要求を送信し、これに応じて前記通信インタフェース部材が受信した前記複数の負荷機器の接続情報を前記内蔵型記憶媒体に記憶させることを特徴とする請求項６記載の大型無停電電源装置の負荷系統情報生成装置。
【請求項８】
前記大型無停電電源装置の接続情報には、前記大型無停電電源装置と前記負荷機器との間の電力供給経路上に配設される電力機器に関する情報およびその電力機器の接続情報が含まれ、
前記生成手段は、上記電力機器を含めた前記大型無停電電源装置の前記負荷系統情報を生成することを特徴とする請求項６または７記載の大型無停電電源装置の負荷系統情報生成装置。
【請求項９】
前記通信インタフェース部材は、前記複数の負荷機器の接続情報とともに前記負荷機器の消費電力を受信し、
前記生成手段は、前記各負荷機器の消費電力に基づいて判断される前記負荷系統情報の総消費電力と、前記大型無停電電源装置の供給電力とを比較し、これらの電力同士が異なると判断される場合には、その旨を出力することを特徴とする請求項６または７記載の大型無停電電源装置の負荷系統情報生成装置。
【請求項１０】
大型無停電電源装置の複数の負荷機器の接続情報を受信する通信インタフェース部材と、上記大型無停電電源装置の接続情報あるいはこの接続情報を上記通信インタフェース部材に受信させるための情報が入力される入力部材と、情報を記憶する内蔵型記憶媒体と、を備えるコンピュータ端末に、
上記通信インタフェース部材が受信したあるいは上記入力部材から入力された上記複数の負荷機器の接続情報および上記大型無停電電源装置の接続情報を上記内蔵型記憶媒体に記憶させる管理手段と、
上記内蔵型記憶媒体に記憶されている接続情報を用いて、上記大型無停電電源装置の上記負荷系統情報を生成する生成手段と、を実現することを特徴とする大型無停電電源装置の負荷系統情報生成プログラム。
【請求項１１】
前記通信インタフェース部材には、ネットワークを介して、前記複数の負荷機器の接続情報を分担して保持する複数の中位コントローラが接続され、
前記管理手段は、前記通信インタフェース部材から上記複数の中位コントローラそれぞれに対して送信要求を送信し、これに応じて前記通信インタフェース部材が受信した前記複数の負荷機器の接続情報を前記内蔵型記憶媒体に記憶させることを特徴とする請求項１０記載の大型無停電電源装置の負荷系統情報生成プログラム。
【請求項１２】
前記大型無停電電源装置の接続情報には、前記大型無停電電源装置と前記負荷機器との間の電力供給経路上に配設される電力機器に関する情報およびその電力機器の接続情報が含まれ、
前記生成手段は、上記電力機器を含めた前記大型無停電電源装置の前記負荷系統情報を生成することを特徴とする請求項１０または１１記載の大型無停電電源装置の負荷系統情報生成プログラム。
【請求項１３】
前記通信インタフェース部材は、前記複数の負荷機器の接続情報とともに前記負荷機器の消費電力を受信し、
前記生成手段は、前記各負荷機器の消費電力に基づいて判断される前記負荷系統情報の総消費電力と、前記大型無停電電源装置の供給電力とを比較し、これらの電力同士が異なると判断される場合には、その旨を出力することを特徴とする請求項１０または１１記載の大型無停電電源装置の負荷系統情報生成プログラム。
【発明の詳細な説明】
【０００１】
【発明の属する技術分野】
本発明は、交流電源と複数の負荷機器との間の電力供給経路に接続される大型無停電電源装置（大型ＵＰＳ：Ｕｎｉｎｔｅｒｒｕｐｔｅｄ  Ｐｏｗｅｒ  Ｓｕｐｐｌｙ）の負荷系統情報を生成する大型無停電電源装置の負荷系統情報生成システム、負荷系統情報生成装置および負荷系統情報生成プログラムに関する。
【０００２】
【従来の技術】
大型無停電電源装置は、たとえば商用交流電源などの交流電源と、コンピュータ端末や通信機器などの負荷機器との間の電力供給経路に接続されるものである。そして、交流電源から負荷機器へ供給されている電力が停止してしまった場合などにおいて、この交流電源の替わりに負荷機器へ電力を供給する。このような大型無停電電源装置の電力のバックアップ動作によって、負荷機器は、交流電源の異常状態であるにもかかわらず、動作し続けることができる。
【０００３】
【発明が解決しようとする課題】
ところで、このような大型無停電電源装置は、工場、クリーンルーム、電子計算機室などにおいて利用されている。これに対し、たとえば商用ビル、雑居ビル、一般のオフィスなどにおいては、近年、コンピュータ端末やルータなどの通信機器が広く普及しているにもかかわらず、ほとんど利用されていない。せいぜい、コンピュータ端末ごとに小型無停電電源装置（小型ＵＰＳ）が利用されるだけである。
【０００４】
そのため、商用電源に異常があれば、基本的に全ての負荷機器が使用できない状態になってしまう。その結果、たとえば、小型無停電電源装置によって電力がバックアップされている自分のコンピュータ端末は動作しているにもかかわらず、ルータが停電してしまって通信ができなくなってしまうことになる。
【０００５】
このように、大型無停電電源装置が商用ビル、雑居ビル、一般のオフィスなどにおいては利用されない理由の一つとして、大型無停電電源装置を設置するにあたっては、その電力供給能力にも限りがあるので、その大型無停電電源装置にて電力のバックアップを行いたい負荷機器を予め見積もる必要のあることが考えられる。
【０００６】
また、バックアップを行いたい負荷機器を予め見積もった場合であっても、その後に、コンピュータ端末や通信機器を追加する場合にも、いちいち大型無停電電源装置の電力供給能力を検討したり、追加する負荷機器への電力の供給経路を検討しなければならない。もしも、大型無停電電源装置でバックアップする必要の無い負荷機器に対してバックアップを行ってしまった場合には、電力が余分に消費されてしまい、その他のバックアップを必要とする負荷機器に対して適切なバックアップを行うことができなくなってしまう可能性があるからである。また逆に、たとえば、大型無停電電源装置の電力供給能力が足かせとなってしまって、大型無停電電源装置の電力供給経路への接続の仕方によっては、負荷機器の増設が不可能となってしまうこともありえる。
【０００７】
そして、このような負荷機器の見積もり作業や確認作業には、電源設備に関して専門的な知識を有する人が必要となるとともに、一般的に多くの時間を必要とする。また、電源設備に関して専門的な知識を有する人を管理者として雇用しなければ、このような負荷機器の定常的な見積もり作業や確認作業を行うこともできない。中小企業にあっては、大型無停電電源装置を利用するのが好ましいことがわかっていたとしても、電源設備の管理のために専門に働く管理者を雇用することができないがために、大型無停電電源装置の導入を諦めてしまうことも多い。
【０００８】
本発明は、以上のような課題を解決するためになされたものであり、簡単且つ低労力にて、大型無停電電源装置の負荷系統情報を生成することが可能となる大型無停電電源装置の負荷系統情報生成システム、負荷系統情報生成装置および負荷系統情報生成プログラムを得ることを目的とする。
【０００９】
【課題を解決するための手段】
本発明に係る大型無停電電源装置の負荷系統情報生成システムは、交流電源と複数の負荷機器との間の電力供給経路に接続される大型無停電電源装置の負荷系統情報を生成する大型無停電電源装置の負荷系統情報生成システムであって、ネットワークと、複数の負荷機器の接続情報を分担して保持するとともに、ネットワークへ複数の負荷機器の接続情報を送信する複数の下位コントローラと、複数の下位コントローラがネットワークへ送信した複数の負荷機器の接続情報を分担して受信する複数の中位コントローラと、ネットワークを介して複数の中位コントローラから複数の負荷機器の接続情報を収集する上位コントローラと、で構成し、各下位コントローラは、それぞれが保持する負荷機器の接続情報の送信先として複数の中位コントローラの中のいずれか１つを指定して負荷機器の接続情報を送信し、さらに、上位コントローラは、複数の中位コントローラそれぞれに対して送信要求を送信することで複数の中位コントローラから複数の負荷機器の接続情報を収集し、大型無停電電源装置の接続情報あるいはこの接続情報をネットワークを介して収集するための情報が入力され、複数の負荷機器の接続情報と大型無停電電源装置の接続情報とを用いて大型無停電電源装置の負荷系統情報を生成するものである。
【００１０】
この構成を採用すれば、複数の下位コントローラが分担して保持する複数の負荷機器の接続情報は、中位コントローラを介して、上位コントローラへ送信される。上位コントローラは、この複数の負荷機器の接続情報と大型無停電電源装置の接続情報とを用いて大型無停電電源装置の負荷系統情報を生成する。したがって、大型無停電電源装置が設置される建物全体の電力系統についての知識を有する管理者は、各フロアあるいは各部屋の中での負荷機器の接続情報を実際には知らなくとも、その接続情報を、上位コントローラにおいて得ることができる。また、管理者は、上述した知識を上位コントローラに入力することで、大型無停電電源装置の負荷系統情報を得ることができる。
【００１１】
中位コントローラは、上位コントローラからの送信要求が入力されると、これに応じて複数の負荷機器に関する情報を上位コントローラへ送信する。したがって、管理者は、上位コントローラから複数の中位コントローラへ送信要求が送信されるようにするだけで、大型無停電電源装置の負荷系統情報を得ることができる。
【００１２】
また、この構成では、中位コントローラを複数設けることで、大型無停電電源装置の負荷系統を複数に分割し、それぞれの分割された負荷系統毎に管理する。つまり、中位コントローラ毎に作業者を設定し、この作業者に、分割された負荷系統を管理させることができる。そして、たとえば、中位コントローラが各フロアあるいは各部屋に設けられている状況下で、各フロアあるいは各部屋における負荷機器のレイアウト変更などかあった場合には、その作業者は、それに応じて負荷機器の接続情報が正しく変更されているか否かを、中位コントローラにおいて簡単に確認することができる。
【００１３】
下位コントローラは、送信先の中位コントローラを指定して、それぞれの分割された負荷系統に属する負荷機器の接続情報を送信する。したがって、負荷機器のレイアウト変更などによって下位コントローラのレイアウトも変更された場合であっても、この下位コントローラは、負荷機器の接続情報を中位コントローラへ送信することができる。そのため、作業者は、負荷機器のレイアウト変更や追加がある度に、下位コントローラから中位コントローラへ負荷機器の接続情報が送信されるように設定を変更したりする必要がない。
【００１４】
このように、複数の下位コントローラが保持する負荷機器の接続情報は、一旦、ボトムアップ式に複数の中位コントローラへ送信され、さらに、この複数の中位コントローラから上位コントローラへ送信される。そのため、上述するように、中位コントローラ毎の作業員と管理者との共同作業によって、簡単に、大型無停電電源装置の負荷系統情報を生成することができる。たとえ、大型無停電電源装置が設置される建物のフロアや部屋において負荷機器の接続状態が変更されたとしても、これに対応する負荷系統情報を簡単に生成することができる。
【００１５】
しかも、中位コントローラ毎に作業者を割り当てることで、管理者は、大型無停電電源装置が設置される建物全体の負荷機器の接続状態を管理する必要がなくなる。その結果、管理者は、建物全体を管理する場合に比べて格段に低い管理負荷にて、大型無停電電源装置の負荷系統情報を得ることができる。また、この負荷系統情報を用いて建物全体の電源状態を改善するように、各作業者に指示することもできる。
【００１６】
特に、この大型無停電電源装置の負荷系統情報生成システムにおいて、中位コントローラは、少なくとも、大型無停電電源装置が設置される建物のフロア毎にあるいは部屋毎に、配設するのが好ましい。
【００１７】
この構成を採用すれば、大型無停電電源装置の負荷系統を、フロア毎あるいは部屋毎に分割することができる。そのため、各作業者が管理する負荷系統は、壁面コンセントよりも下流側の負荷系統となる。つまり、各作業者は、目視にて接続状態を確認できる範囲を管理すればよくなる。
【００１８】
したがって、各フロアあるいは各部屋での作業者は、中位コントローラに集められている負荷機器の接続情報と、各フロアあるいは各部屋内で目視にて確認できる実際の負荷機器の接続状態とを、確実且つ簡単に確認することができる。
【００１９】
その結果、各フロアや各部屋において負荷機器の接続状態が変更されたとしても、中位コントローラは、実際の負荷機器の接続状態に対応する負荷機器の接続情報を、上位コントローラへ送信することができる。
【００２０】
また、この大型無停電電源装置の負荷系統情報生成システムにおいて、大型無停電電源装置の接続情報には、大型無停電電源装置と負荷機器との間の電力供給経路上に配設される電力機器に関する情報およびその電力機器の接続情報が含まれ、上位コントローラは、電力機器を含めた大型無停電電源装置の負荷系統情報を生成してもよい。
【００２１】
この構成を採用すれば、大型無停電電源装置の負荷系統情報には、大型無停電電源装置や負荷機器とともに電力機器が含まれる。そのため、この大型無停電電源装置の負荷系統情報は、単に、大型無停電電源装置と負荷機器との接続関係を示す負荷系統情報とは異なり、大型無停電電源装置よりも電力供給経路下流側の電力系統情報として利用することができる。その結果、管理者は、たとえば分電盤、その他の建物に付属する電力機器を含めた電力系統の全体を、現状の負荷機器の接続状態に応じて検討することができる。
【００２２】
また、この大型無停電電源装置の負荷系統情報生成システムでは、下位コントローラおよび中位コントローラは、複数の負荷機器の接続情報とともに負荷機器の消費電力を送信し、上位コントローラは、各負荷機器の消費電力に基づいて判断される負荷系統情報の総消費電力と、大型無停電電源装置の供給電力とを比較し、これらの電力同士が異なると判断される場合には、その旨を出力してもよい。
【００２３】
この構成を採用すれば、管理者は、大型無停電電源装置の負荷系統情報が、実際の負荷機器の接続状態と一致していないことを、簡単に把握することができる。その結果、管理者は、各作業者にそれぞれの管理区域を確認させ、大型無停電電源装置の負荷系統情報を、実際の負荷機器の接続状態に一致させた状態に維持することができる。
【００２４】
また、この大型無停電電源装置の負荷系統情報生成システムでは、下位コントローラ、中位コントローラおよび上位コントローラは、ネットワーク上でＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いて互いに通信するとともに、中位コントローラと上位コントローラとの間での通信パケットに含まれるＴＣＰヘッダのポート番号と、中位コントローラと下位コントローラとの間での通信に用いられる通信パケットに含まれるＴＣＰヘッダのポート番号とが互いに異なる番号となるように通信し、上位コントローラは、所定の範囲のＩＰアドレスを順番に指定して、ネットワークに接続されている各機器の開いているポート番号を調査し、中位コントローラが上位コントローラとの通信に用いるポート番号のポートが開いている機器に対して送信要求を送信してもよい。
【００２５】
この構成を採用すれば、上位コントローラは、ネットワークに接続されている中位コントローラを検索し、この中位コントローラから負荷機器の接続情報を収集することができる。その結果、作業者は、自由に中位コントローラを追加したり、変更することができる。また、事前にバックアップ用の中位コントローラを準備しておき、動作中の中位コントローラが停止してしまった場合には、すぐにそのバックアップ用の中位コントローラを起動して、負荷機器の接続情報が確実に上位コントローラへ送信されるようにすることができる。
【００２６】
本発明に係る大型無停電電源装置の負荷系統情報生成装置は、交流電源と複数の負荷機器との間の電力供給経路に接続される大型無停電電源装置の負荷系統情報を生成する大型無停電電源装置の負荷系統情報生成装置であって、複数の負荷機器の接続情報を受信する通信インタフェース部材と、大型無停電電源装置の接続情報あるいはこの接続情報を通信インタフェース部材に受信させるための情報が入力される入力部材と、情報を記憶する内蔵型記憶媒体と、通信インタフェース部材が受信したあるいは入力部材から入力された複数の負荷機器の接続情報および大型無停電電源装置の接続情報を内蔵型記憶媒体に記憶させる管理手段と、内蔵型記憶媒体に記憶されている接続情報を用いて、大型無停電電源装置の負荷系統情報を生成する生成手段と、を備えるものである。
【００２７】
この構成を採用すれば、負荷系統情報生成装置は、複数の負荷機器の接続情報と大型無停電電源装置の接続情報とを用いて大型無停電電源装置の負荷系統情報を生成する。したがって、大型無停電電源装置が設置される建物全体の電力系統についての知識を有する管理者は、各フロアあるいは各部屋の中での負荷機器の接続情報を実際には知らなくとも、通信インタフェース部材が受信した接続情報によって得ることができる。たとえ、大型無停電電源装置が設置される建物のフロアや部屋において負荷機器の接続状態が変更されたとしても、これに対応する負荷系統情報を簡単に得ることができる。また、管理者は、上述した知識を上位コントローラに入力することで、大型無停電電源装置の負荷系統情報を得ることができる。
【００２８】
その結果、管理者は、簡単に、大型無停電電源装置の負荷系統情報を得ることができる。また、この負荷系統情報を用いて建物全体の電源状態を改善することができる。
【００２９】
また、この大型無停電電源装置の負荷系統情報生成装置では、通信インタフェース部材には、ネットワークを介して、複数の負荷機器の接続情報を分担して保持する複数の中位コントローラが接続され、管理手段は、通信インタフェース部材から複数の中位コントローラそれぞれに対して送信要求を送信し、これに応じて通信インタフェース部材が受信した複数の負荷機器の接続情報を内蔵型記憶媒体に記憶させてもよい。
【００３０】
この構成を採用すれば、複数の中位コントローラを用いて負荷機器の接続情報を収集することができる。つまり、この構成では、中位コントローラを複数設けることで、大型無停電電源装置の負荷系統を複数に分割し、それぞれの分割された負荷系統毎に管理することができる。
【００３１】
また、この大型無停電電源装置の負荷系統情報生成装置では、大型無停電電源装置の接続情報には、大型無停電電源装置と負荷機器との間の電力供給経路上に配設される電力機器に関する情報およびその電力機器の接続情報が含まれ、生成手段は、電力機器を含めた大型無停電電源装置の負荷系統情報を生成してもよい。
【００３２】
この構成を採用すれば、大型無停電電源装置の負荷系統情報には、大型無停電電源装置や負荷機器とともに電力機器が含まれる。そのため、この大型無停電電源装置の負荷系統情報は、単に、大型無停電電源装置と負荷機器との接続関係を示す負荷系統情報とは異なり、大型無停電電源装置よりも電力供給経路下流側の電力系統情報として利用することができる。その結果、管理者は、たとえば分電盤、その他の建物に付属する電力機器を含めた電力系統の全体を、現状の負荷機器の接続状態に応じて検討することができる。
【００３３】
また、この大型無停電電源装置の負荷系統情報生成装置では、通信インタフェース部材は、複数の負荷機器の接続情報とともに負荷機器の消費電力を受信し、生成手段は、各負荷機器の消費電力に基づいて判断される負荷系統情報の総消費電力と、大型無停電電源装置の供給電力とを比較し、これらの電力同士が異なると判断される場合には、その旨を出力してもよい。
【００３４】
この構成を採用すれば、管理者は、大型無停電電源装置の負荷系統情報が、実際の負荷機器の接続状態と一致していないことを、簡単に把握することができる。その結果、管理者は、実際の負荷機器の接続状態を確認するなどして、大型無停電電源装置の負荷系統情報を、実際の負荷機器の接続状態に一致させた状態に維持することができる。
【００３５】
本発明に係る大型無停電電源装置の負荷系統情報生成プログラムは、大型無停電電源装置の複数の負荷機器の接続情報を受信する通信インタフェース部材と、大型無停電電源装置の接続情報あるいはこの接続情報を通信インタフェース部材に受信させるための情報が入力される入力部材と、情報を記憶する内蔵型記憶媒体と、を備えるコンピュータ端末に、通信インタフェース部材が受信したあるいは入力部材から入力された複数の負荷機器の接続情報および大型無停電電源装置の接続情報を内蔵型記憶媒体に記憶させる管理手段と、内蔵型記憶媒体に記憶されている接続情報を用いて、大型無停電電源装置の負荷系統情報を生成する生成手段と、を実現するものである。
【００３６】
このプログラムをインストールしたコンピュータ端末は、複数の負荷機器の接続情報と大型無停電電源装置の接続情報とを用いて大型無停電電源装置の負荷系統情報を生成する。したがって、大型無停電電源装置が設置される建物全体の電力系統についての知識を有する管理者は、各フロアあるいは各部屋の中での負荷機器の接続情報を実際には知らなくとも、通信インタフェース部材が受信した接続情報によって得ることができる。たとえ、大型無停電電源装置が設置される建物のフロアや部屋において負荷機器の接続状態が変更されたとしても、これに対応する負荷系統情報を簡単に得ることができる。また、管理者は、上述した知識をコンピュータ端末に入力することで、大型無停電電源装置の負荷系統情報を得ることができる。
【００３７】
その結果、管理者は、簡単に、大型無停電電源装置の負荷系統情報を得ることができる。また、この負荷系統情報を用いて建物全体の電源状態を改善することができる。
【００３８】
また、この大型無停電電源装置の負荷系統情報生成プログラムでは、通信インタフェース部材には、ネットワークを介して、複数の負荷機器の接続情報を分担して保持する複数の中位コントローラが接続され、管理手段は、通信インタフェース部材から複数の中位コントローラそれぞれに対して送信要求を送信し、これに応じて通信インタフェース部材が受信した複数の負荷機器の接続情報を内蔵型記憶媒体に記憶させてもよい。
【００３９】
このプログラムをインストールしたコンピュータ端末は、複数の中位コントローラから負荷機器の接続情報を収集する。つまり、この構成では、中位コントローラを複数設けることで、大型無停電電源装置の負荷系統を複数に分割し、それぞれの分割された負荷系統毎に管理することができる。
【００４０】
また、この大型無停電電源装置の負荷系統情報生成プログラムでは、大型無停電電源装置の接続情報には、大型無停電電源装置と負荷機器との間の電力供給経路上に配設される電力機器に関する情報およびその電力機器の接続情報が含まれ、生成手段は、電力機器を含めた大型無停電電源装置の負荷系統情報を生成してもよい。
【００４１】
このプログラムをインストールしたコンピュータ端末では、大型無停電電源装置の負荷系統情報には、大型無停電電源装置や負荷機器とともに電力機器が含まれる。そのため、この大型無停電電源装置の負荷系統情報は、単に、大型無停電電源装置と負荷機器との接続関係を示す負荷系統情報とは異なり、大型無停電電源装置よりも電力供給経路下流側の電力系統情報として利用することができる。その結果、管理者は、たとえば分電盤、その他の建物に付属する電力機器を含めた電力系統の全体を、現状の負荷機器の接続状態に応じて検討することができる。
【００４２】
また、この大型無停電電源装置の負荷系統情報生成プログラムでは、通信インタフェース部材は、複数の負荷機器の接続情報とともに負荷機器の消費電力を受信し、生成手段は、各負荷機器の消費電力に基づいて判断される負荷系統情報の総消費電力と、大型無停電電源装置の供給電力とを比較し、これらの電力同士が異なると判断される場合には、その旨を出力してもよい。
【００４３】
このプログラムをインストールしたコンピュータ端末であれば、管理者は、大型無停電電源装置の負荷系統情報が、実際の負荷機器の接続状態と一致していないことを、簡単に把握することができる。その結果、管理者は、実際の負荷機器の接続状態を確認するなどして、大型無停電電源装置の負荷系統情報を、実際の負荷機器の接続状態に一致させた状態に維持することができる。
【００４４】
【発明の実施の形態】
以下、本発明に係る大型無停電電源装置の負荷系統情報生成システム、負荷系統情報生成装置および負荷系統情報生成プログラムを、図面に基づいて説明する。
【００４５】
なお、この大型無停電電源装置の負荷系統情報生成システム監視システムの一部として説明する。大型無停電電源装置の負荷系統情報生成装置は、ＵＰＳステーションコントローラ１５の一部として説明する。大型無停電電源装置の負荷系統情報生成プログラムは、ＵＰＳステーションコントローラ１５の内蔵型記憶媒体２３に記憶されているＵＰＳステーションコントローラプログラム５１の一部として説明する。
【００４６】
また、ＵＰＳステーションコントローラプログラム５１は、コンピュータ端末８読取可能な記憶媒体に記憶されていたものを、ＵＰＳステーションコントローラ１５の内蔵型記憶媒体２３にインストールしても、インターネットなどの伝送媒体を介してＵＰＳステーションコントローラ１５の内蔵型記憶媒体２３にインストールしてもよい。
【００４７】
実施の形態１．
【００４８】
図１は、本発明の実施の形態１に係る監視システムが監視する電源システムを示すシステム構成図である。
【００４９】
この電源システムは、たとえば、大型無停電電源装置（大型ＵＰＳ）１が設置されるビルなどの建物の電源システムである。
【００５０】
この電源システムでは、交流電源としての商用交流電源２は、電源ケーブル３を介してメイン分電盤４に接続されている。メイン分電盤４には、電源ケーブル３を介して２つのサブ分電盤５が接続されている。各サブ分電盤５には、電源ケーブル３を介して２つの壁面コンセント６が接続されている。
【００５１】
各壁面コンセント６には、電源ケーブル３を介して小型無停電電源装置（小型ＵＰＳ）７やコンピュータ端末８が接続されている。また、各小型ＵＰＳ７には、電源ケーブル３を介してコンピュータ端末８、ネットワークサーバ９、ハブ１０、データベース１１が接続されている。以下、この壁面コンセント６から電力が供給されるこれらの機器を総称して負荷機器と記載する。
【００５２】
そして、商用交流電源２から供給される電力は、メイン分電盤４、サブ分電盤５、壁面コンセント６を介して、小型ＵＰＳ７やコンピュータ端末８へ供給される。また、小型ＵＰＳ７を介して、コンピュータ端末８、ネットワークサーバ９、ハブ１０、データベース１１へ電力が供給される。なお、この電力の供給経路が、商用交流電源２と複数の負荷機器との間の電力供給経路となる。
【００５３】
また、メイン分電盤４には、電源ケーブル３を介して大型ＵＰＳ１が接続されている。したがって、メイン分電盤４、サブ分電盤５および壁面コンセント６が、大型ＵＰＳ１と負荷機器との間の電力供給経路上に配設されている電力機器となる。
【００５４】
この大型ＵＰＳ１は、図示外の発電機あるいは蓄電部材を備え、たとえば電源ケーブル３から供給されてくる電力の状態を監視し、この電力の状態に応じて発電機あるいは蓄電部材の動作を制御する。大型ＵＰＳ１は、具体的には、電力の状態が正常である場合には、発電機を停止したり、電源ケーブル３を介して供給される電力で蓄電部材を充電する。また、大型ＵＰＳ１は、電力の状態が異常である場合には、発電機を動作させたり、蓄電部材に蓄電されている電力を出力する。そして、発電機で生成される電力や蓄電部材から出力される電力は、メイン分電盤４から電力供給経路に供給され、各負荷機器へ供給される。
【００５５】
また、大型ＵＰＳ１に内蔵される図示外のメモリには、この大型ＵＰＳ１の動作スケジュールや電力切り換え条件や、電力の連続供給時間などの設定情報が記憶されている。そして、大型ＵＰＳ１は、その動作スケジュールにて指定された所定の時間帯で電力異常が生じた時に電力を出力する。また、大型ＵＰＳ１は、電力切り換え条件を判断基準として用いて電力の状態を判断する。さらに、大型ＵＰＳ１は、電力の供給を開始してからの連続した供給時間が、電力の連続供給可能時間を超えたら、電力の供給を停止する。
【００５６】
さらに、大型ＵＰＳ１は、後述する通信ケーブル１２を用いてネットワークに接続されている。そして、大型ＵＰＳ１は、このネットワークから起動信号や停止信号などの制御信号を受信し、この制御信号に応じて電力供給を制御する。また、ネットワークから設定情報を受信すると、大型ＵＰＳ１は、この受信情報で内部のメモリの設定情報を更新する。
【００５７】
メイン分電盤４は、商用交流電源２から供給される電力が正常である場合には、この商用交流電源２からの電力を各サブ分電盤５および大型ＵＰＳ１へ供給する。逆に、商用交流電源２から供給されてくる電力が異常である場合には、メイン分電盤４は、商用交流電源２を切り離すとともに、大型ＵＰＳ１からの電力を各サブ分電盤５へ供給する。これにより、電源システムは、商用交流電源２に異常が生じても、安定した電力を負荷機器へ供給することができる。
【００５８】
なお、商用交流電源２から供給される電力が異常と判断されないまでも品質が低下していると判断される場合には、電源システムは、大型ＵＰＳ１を動作させるとともに、商用交流電源２からの電力と大型ＵＰＳ１からの電力とをメイン分電盤４でまとめて負荷機器へ供給するようにしてもよい。これにより、負荷機器へ供給される電力の品質を改善することができる。
【００５９】
サブ分電盤５は、たとえば負荷機器において電源ショートなどが生じて異常電流が流れたり、下流側に接続された小型ＵＰＳ７や負荷機器の合計の消費電流が所定の電流値を超えたときに、これら下流側の電力系統をメイン分電盤４から切り離すものである。これにより、一つのサブ分電盤５よりも下流側において電源ショートなどが発生したとしても、電源システムは、他のサブ分電盤５の下流側の負荷機器へ安定した電力を供給する。
【００６０】
小型ＵＰＳ７は、図示外のバッテリを備え、壁面コンセント６から供給される電力を監視し、この供給される電力の状態に応じて、負荷機器への電力供給を制御する。そして、小型ＵＰＳ７は、壁面コンセント６から供給される電力が正常である場合には、この電力を、電源ケーブル３を介して接続されているコンピュータ端末８などへ供給するとともに、バッテリを充電する。逆に、壁面コンセント６から供給される電力が異常である場合には、小型ＵＰＳ７は、これに替えて、バッテリに蓄電されている電力を、電源ケーブル３を介して接続されているコンピュータ端末８などへ供給する。
【００６１】
また、小型ＵＰＳ７に内蔵される図示外のメモリあるいは小型ＵＰＳ７と通信ケーブル１２を介して接続されているコンピュータ端末８の内蔵型記憶媒体２３には、この小型ＵＰＳ７の動作スケジュールや電力切り換え条件、バッテリ電力の供給時間などが記憶されている。そして、小型ＵＰＳ７は、その動作スケジュールに基づいて負荷機器への電力供給を制御する。また、小型ＵＰＳ７は、電力切り換え条件を判断基準に用いて、壁面コンセント６から供給される電力の状態を判断する。さらに、小型ＵＰＳ７は、バッテリからの連続供給時間が、バッテリ電力の供給可能時間を超えたら、電力の供給を停止する。
【００６２】
さらに、小型ＵＰＳ７あるいはこのコンピュータ端末８は、後述するように、通信ケーブル１２を介して、ネットワークに接続されている。そして、小型ＵＰＳ７あるいはこのコンピュータ端末８は、このネットワークから受信した起動信号や停止信号などの制御信号を受信し、この制御信号に応じて起動あるいは停止する。また、ネットワークから設定情報を受信すると、小型ＵＰＳ７あるいはこのコンピュータ端末８は、この受信情報でメモリの設定情報を更新する。
【００６３】
次に、このような電源システムを監視する監視システムについて説明する。
【００６４】
監視システムは、負荷機器に組み込まれる下位コントローラとしての複数のＵＰＳグループコントローラ１３と、負荷機器に組み込まれる中位コントローラとしての複数のＵＰＳドメインコントローラ１４と、負荷機器に組み込まれる上位コントローラとしてのＵＰＳステーションコントローラ１５と、少なくともこれらのコントローラ１３，１４，１５が組み込まれた負荷機器同士を接続するネットワークと、で構成されている。
【００６５】
また、この監視システムは、図１に示す電源システムを、ＵＰＳグループＧＲ１，ＧＲ２，ＧＲ３，ＧＲ４、ＵＰＳドメインＤＭ１，ＤＭ２およびＵＰＳステーションＳＴという管理単位で監視する。このＵＰＳグループＧＲ１，ＧＲ２，ＧＲ３，ＧＲ４、ＵＰＳドメインＤＭ１，ＤＭ２およびＵＰＳステーションＳＴは、監視システム上で定義される管理単位である。なお、以下において、ＵＰＳグループＧＲ１，ＧＲ２，ＧＲ３，ＧＲ４を総称する場合には、単にＵＰＳグループＧＲと記載する。また、ＵＰＳドメインＤＭ１，ＤＭ２を総称する場合には、単にＵＰＳドメインＤＭと記載する。
【００６６】
ＵＰＳグループＧＲは、１個の小型ＵＰＳ７と、この小型ＵＰＳ７と電源ケーブル３で接続された全ての負荷機器とで構成される管理単位である。なお、複数個の小型ＵＰＳ７が協働している場合には、例外的に、この複数個の小型ＵＰＳ７を１つのＵＰＳグループＧＲで管理する。そして、これらの小型ＵＰＳ７と、その他の負荷機器、たとえばコンピュータ端末８、ネットワークサーバ９、ハブ１０、データベース１１は、ＵＰＳグループＧＲの構成要素となる。
【００６７】
ＵＰＳドメインＤＭは、たとえば、大型ＵＰＳ１が設置されたビルのフロア、部屋などの任意のスペースで定義される管理単位である。この実施の形態１では、大型ＵＰＳ１が設置されるビルのフロアあるいは部屋毎にＵＰＳドメインＤＭを定義している。そして、ＵＰＳグループＧＲは、ＵＰＳドメインＤＭの構成要素となる。なお、ＵＰＳグループＧＲが定義されていない小型ＵＰＳ７や、小型ＵＰＳ７に接続されていないコンピュータ端末８なども、ＵＰＳドメインＤＭの構成要素となりえる。
【００６８】
ＵＰＳステーションＳＴは、少なくとも１つの大型ＵＰＳ１を含むスペースで定義される管理単位である。この実施の形態１では、大型ＵＰＳ１が設置されるビル全体の電力供給経路をＵＰＳステーションＳＴとして定義している。そして、ＵＰＳドメインＤＭおよび大型ＵＰＳ１は、ＵＰＳステーションＳＴの構成要素となる。なお、協働する複数の大型ＵＰＳ１がある場合には、少なくとも、その協働する複数の大型ＵＰＳ１毎にＵＰＳステーションＳＴを定義するとよい。
【００６９】
ネットワークは、少なくとも上述するコントローラが組み込まれた複数の負荷機器同士を接続するものであればよいが、この実施の形態１では図１に示す全ての負荷機器同士を接続している。特に、上記コントローラが組み込まれた全ての負荷機器は、ハブ１０に接続され、通信ケーブル３としてイーサネット（登録商標）ケーブルを用い、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に基づく通信を行う。
【００７０】
このＴＣＰ／ＩＰでは、ＴＣＰ／ＩＰを用いて通信する各負荷機器に、固有のＭＡＣ（Ｍｅｄｉａ  Ａｃｃｅｓｓ  Ｃｏｎｔｒｏｌ）アドレスおよび固有のＩＰアドレスを付与する。特に、この実施の形態１では、ＴＣＰ／ＩＰを用いて通信する各負荷機器に、固定ＩＰアドレスを付与する。
【００７１】
そして、送信元の負荷機器は、情報を含むデータに、イーサネット（登録商標）ヘッダ、ＩＰヘッダおよびＴＣＰヘッダを付加したパケットを生成し、このパケットをネットワークへ送信する。イーサネット（登録商標）ヘッダには、物理的に同一のネットワーク上となる送信先の負荷機器のＭＡＣアドレスが含まれている。ＩＰヘッダには、情報の最終的な送信先である負荷機器の固定ＩＰアドレスが含まれている。
【００７２】
また、ＴＣＰ／ＩＰを用いて通信する各負荷機器は、ネットワーク上のパケットに自分のＭＡＣアドレスが付加されているか否か判断し、自分のＭＡＣアドレスが付加されている場合には、このパケットを一旦受信する。そして、受信したパケットの固定ＩＰアドレスが自分の固定ＩＰアドレスである場合には、このパケットを負荷機器上で実行されているプログラムへ受け渡す。固定ＩＰアドレスが自分の固定ＩＰアドレスでない場合には、他のネットワークへパケットを送信する。
【００７３】
このようにＴＣＰ／ＩＰに基づく通信では、負荷機器によるパケットリレー処理によって、物理的に異なるネットワークを介して、送信元の負荷機器から最終的な送信先の負荷機器へ情報を送信することができる。
【００７４】
なお、ＴＣＰヘッダには、送信先のポート番号が含まれている。このポート番号は、少なくとも各負荷機器において、実行されているプログラムのジョブ毎に、異なる番号が割り当てられている。これにより、たとえば、後述するように負荷機器の中央処理装置２４がタイムシェアリングにて複数のプログラムを同時に実行している場合であっても、中央処理装置２４は、受信したパケットに付加された送信先のポート番号と、各プログラムのジョブのポート番号とを比較し、ポート番号同士が一致する所望のプログラムのジョブへパケット内の情報を受け渡すことができる。
【００７５】
ＵＰＳグループコントローラ１３は、ＵＰＳグループＧＲ毎に１つずつ設けられるものである。そして、ＵＰＳグループコントローラ１３は、ＵＰＳグループＧＲに属する小型ＵＰＳ７と、その他の負荷機器、たとえばコンピュータ端末８、ネットワークサーバ９、ハブ１０、データベース１１を管理する。
【００７６】
このＵＰＳグループコントローラ１３は、ハブ１０と通信ケーブル１２で接続されている小型ＵＰＳ７、または、小型ＵＰＳ７が通信ケーブル１２で接続されているコンピュータ端末８もしくはネットワークサーバ９に組み込まれて実現されている。なお、小型ＵＰＳ７が直接にハブ１０に接続され、且つ、コンピュータ端末８もしくはネットワークサーバ９にも接続されている場合には、ＵＰＳグループコントローラ１３は、小型ＵＰＳ７あるいはコンピュータ端末８もしくはネットワークサーバ９のいずれか１つに組み込まれて実現されればよい。
【００７７】
図２は、ＵＰＳグループコントローラ１３が組み込まれたコンピュータ端末８を示す構成図である。なお、ＵＰＳグループコントローラ１３が組み込まれたネットワークサーバ９の構成も同様である。また、以下の構成の説明においては、コンピュータ端末８に、ＵＰＳドメインコントローラ１４やＵＰＳステーションコントローラ１５を組み込んだ場合の構成について説明するが、これらのコントローラをネットワークサーバ９や小型ＵＰＳ７に組み込んだ場合も、コントローラに関係する部分の構成は基本的に同様な構成となる。
【００７８】
ＵＰＳグループコントローラ１３は、コントローラユニット２１と、電源ケーブル３が接続され、この電源ケーブル３から供給される電力をコントローラユニット２１へ供給する電源ユニット２２と、を備える。
【００７９】
コントローラユニット２１は、主に、プログラムおよびデータが記憶される内蔵型記憶媒体２３と、プログラムをタイムシェアリングにて実行する中央処理装置２４と、中央処理装置２４がプログラム実行の際に利用するメモリ２５と、これらを接続するシステムバス２６と、を備える。
【００８０】
また、コントローラユニット２１のシステムバス２６には、通信ケーブル１２を介してハブ１０が接続される通信インターフェース部材としての上位通信インタフェース（上位通信Ｉ／Ｆ）２７、通信ケーブル１２を介して小型ＵＰＳ７が直接に接続可能な下位通信インタフェース（下位通信Ｉ／Ｆ）２８、時間を計測するタイマ２９、入出力ポート（Ｉ／Ｏポート３０）が接続されている。Ｉ／Ｏポート３０には、モニタ３１、入力部材としてのキーボード３２、入力部材としてのポインティングデバイス３３が接続されている。なお、ＵＰＳグループＧＲ内の小型ＵＰＳ７がネットワークに直接に接続されている場合には、その小型ＵＰＳ７を下位通信Ｉ／Ｆ２８へ接続する必要はない。
【００８１】
ＵＰＳグループコントローラ１３の内蔵型記憶媒体２３には、コンピュータ端末８にＵＰＳグループコントローラ１３を実現するためのＵＰＳグループコントローラプログラム３４と、ＵＰＳグループデータベース３５と、ＵＰＳドメインコントローラ１４の固定ＩＰアドレス３６と、が記憶されている。
【００８２】
ＵＰＳグループデータベース３５には、ＵＰＳグループコントローラ１３で管理するＵＰＳグループＧＲ内の全ての小型ＵＰＳ７に関する情報と、そのＵＰＳグループＧＲ内のその他の全ての負荷機器に関する情報と、が記憶される。
【００８３】
小型ＵＰＳ７に関する情報としては、たとえば、小型ＵＰＳ７の電力供給能力、機能、型番などの仕様情報や、動作スケジュール、電力切り換え条件、バッテリ電力の供給時間、自分に割り当てられた固定ＩＰアドレスなどの設定情報や、小型ＵＰＳ７の現在の供給電力などの動作状態情報がある。なお、小型ＵＰＳ７がネットワークに直接に接続されていない場合には、その小型ＵＰＳ７が接続されているコンピュータ端末８の固定ＩＰアドレスが設定情報に含まれる。
【００８４】
その他の負荷機器に関する情報としては、たとえば、それぞれの消費電力、機能、型番などの仕様情報や、それぞれの固定ＩＰアドレスなどの設定情報や、それぞれの現在の消費電力などの動作状態情報がある。
【００８５】
ＵＰＳグループコントローラプログラム３４は、グループデータベース管理プログラム３７と、グループデータベース送信プログラム３８と、グループ設定制御プログラム３９と、を備える。
【００８６】
グループデータベース管理プログラム３７を実行する中央処理装置２４は、上位通信Ｉ／Ｆ２７や下位通信Ｉ／Ｆ２８を用いて、ＵＰＳグループコントローラ１３で管理するＵＰＳグループＧＲ内の全ての小型ＵＰＳ７およびその他の全ての負荷機器に関する情報を周期的に収集し、この収集した情報をＵＰＳグループデータベース３５に登録する。これにより、ＵＰＳグループデータベース３５には、そのＵＰＳグループＧＲ内の全ての負荷機器の最新の動作状態情報などが登録される。
【００８７】
なお、上位通信Ｉ／Ｆ２７や下位通信Ｉ／Ｆ２８を用いて情報を収集することができない小型ＵＰＳ７やその他の負荷機器に関する情報については、中央処理装置２４は、情報を入力するための入力画面をモニタ３１に表示させ、その表示に応じて入力された情報をＵＰＳグループデータベース３５に登録する。
【００８８】
また、このグループデータベース管理プログラム３７を実行する中央処理装置２４は、小型ＵＰＳ７毎に連続した記憶領域を内蔵型記憶媒体２３中に確保する。そして、中央処理装置２４は、各記憶領域に、小型ＵＰＳ７に関する情報と、それと電源ケーブル３で接続されているその他の負荷機器に関する情報と、を登録する。
【００８９】
このように、小型ＵＰＳ７毎に確保した記憶領域に、小型ＵＰＳ７に関する情報と、それと電源ケーブル３で接続されているその他の負荷機器に関する情報と、を登録することで、内蔵型記憶媒体２３上での情報の配列に基づいて、各小型ＵＰＳ７とその他の負荷機器との接続関係を把握することが可能となる。その結果、小型ＵＰＳ７の接続関係が変更された場合に、中央処理装置２４は、受信情報の書き込みの際に、その接続関係を示す情報を一々生成したり、古い接続関係を示す情報を消去した上で新しい接続関係を書き込んだりする必要がなくなる。また、この接続関係を示す情報の分だけ、ネットワークを介して送受信する情報量や、内蔵型記憶媒体２３に確保する記憶領域のサイズを削減することができる。
【００９０】
グループデータベース送信プログラム３８を実行する中央処理装置２４は、上位通信Ｉ／Ｆ２７を用いて、ＵＰＳグループデータベース３５に登録されている全ての情報を、ＵＰＳグループＧＲに関する情報として周期的に送信する。このとき、内蔵型記憶媒体２３に記憶されている、ＵＰＳドメインコントローラ１４の固定ＩＰアドレス３６が情報の送信先として指定される。
【００９１】
このように、各ＵＰＳグループコントローラ１３において、ＵＰＳドメインコントローラ１４の固定ＩＰアドレス３６を送信先に指定して、ＵＰＳグループＧＲ内の全ての負荷機器に関する情報を送信することで、たとえばこのＵＰＳグループコントローラ１３とハブ１０との接続関係が変更されたとしても、ＵＰＳグループコントローラ１３からＵＰＳドメインコントローラ１４へＵＰＳグループＧＲ内の全ての負荷機器に関する情報を送信することができる。
【００９２】
グループ設定制御プログラム３９を実行する中央処理装置２４は、上位通信Ｉ／Ｆ２７あるいは下位通信Ｉ／Ｆ２８からＵＰＳグループＧＲ内の小型ＵＰＳ７あるいはその他の負荷機器へ設定情報や制御情報を送信する。なお、この設定情報や制御情報は、モニタ３１に設定情報や制御情報を入力するための画面を表示させ、これに応じてキーボード３２から入力された情報に基づいて生成される。また、この設定情報や制御情報は、上位通信Ｉ／Ｆ２７や下位通信Ｉ／Ｆ２８から受信した情報に基づいて生成される。
【００９３】
ＵＰＳドメインコントローラ１４は、ＵＰＳドメインＤＭ毎に１つずつ設けられる。そして、ＵＰＳドメインコントローラ１４は、ＵＰＳドメインＤＭに属する小型ＵＰＳ７と、その他の負荷機器を監視する。
【００９４】
図３は、ＵＰＳドメインコントローラ１４が組み込まれたコンピュータ端末８を示す構成図である。
【００９５】
ＵＰＳドメインコントローラ１４は、ＵＰＳグループコントローラ１３におけるコントローラユニット２１と同様な構成のコントローラユニット２１と、電源ユニット２２と、を備える。コントローラユニット２１は、内蔵型記憶媒体２３、中央処理装置２４、メモリ２５、システムバス２６、上位通信インタフェース（上位通信Ｉ／Ｆ）２７、下位通信インタフェース（下位通信Ｉ／Ｆ）２８、タイマ２９、入出力ポート（Ｉ／Ｏポート）３０が接続されている。Ｉ／Ｏポート３０には、モニタ３１、キーボード３２、ポインティングデバイス３３が接続されている。これらの構成要素は、図２に示すＵＰＳグループコントローラ１３と同様の構成要素を採用することができる。この実施の形態１では、ＵＰＳグループコントローラ１３と同一の構成部材を一部採用しており、同一の構成要素には同一の符号を付して説明を省略する。
【００９６】
ＵＰＳドメインコントローラ１４の内蔵型記憶媒体２３には、コンピュータ端末８にＵＰＳドメインコントローラ１４を実現するためのＵＰＳドメインコントローラプログラム４１と、ＵＰＳドメインデータベース４２と、が記憶される。
【００９７】
ＵＰＳドメインデータベース４２には、ＵＰＳドメインコントローラ１４が管理するＵＰＳドメインＤＭ内の全てのＵＰＳグループＧＲに関する情報、が記憶される。なお、ＵＰＳドメインＤＭ内に、ＵＰＳグループＧＲに属さない負荷機器、たとえばコンピュータ端末８などが存在する場合には、この負荷機器に関する情報も、記憶される。
【００９８】
ＵＰＳグループＧＲに関する情報は、ＵＰＳグループＧＲの定義情報と、各ＵＰＳグループコントローラ１３から受信した情報と、で構成される。ＵＰＳグループコントローラ１３から受信した情報は、ＵＰＳグループＧＲ内の小型ＵＰＳ７に関する情報と、負荷機器に関する情報と、で構成されている。
【００９９】
ＵＰＳドメインコントローラプログラム４１は、ドメインデータベース管理プログラム４３と、ドメイン監視プログラム４４と、ドメインデータベース送信プログラム４５と、を備える。
【０１００】
ドメインデータベース管理プログラム４３を実行する中央処理装置２４は、上位通信Ｉ／Ｆ２７が受信した各ＵＰＳグループコントローラ１３からの情報を、ＵＰＳドメインデータベース４２に登録する。
【０１０１】
なお、このドメインデータベース管理プログラム４３を実行する中央処理装置２４は、ＵＰＳグループコントローラ１３毎に連続した記憶領域を確保し、各記憶領域にそれぞれから受信した情報を登録する。これにより、ＵＰＳドメインデータベース４２上での情報の配列に基づいて、各ＵＰＳグループＧＲや、各小型ＵＰＳ７とその他の負荷機器との接続関係を把握することができる。
【０１０２】
ドメイン監視プログラム４４を実行する中央処理装置２４は、ＵＰＳドメインデータベース４２に登録されている情報をモニタ３１に表示させる。また、この状態でキーボード３２などから入力された情報に基づいて設定情報や制御情報を生成し、これらを上位通信Ｉ／Ｆ２７からネットワークに接続されている機器へ送信する。なお、ネットワークに接続されている機器としては、ＵＰＳグループコントローラ１３、小型ＵＰＳ７、その他の負荷機器がある。この制御情報は、小型ＵＰＳ７に対して送信された場合には、制御信号として利用される。
【０１０３】
ドメインデータベース送信プログラム４５を実行する中央処理装置２４は、後述するＵＰＳステーションコントローラ１５からの送信要求に基づいて、上位通信Ｉ／Ｆ２７からネットワークへ、ＵＰＳドメインデータベース４２に登録されている全ての情報を、管理しているＵＰＳドメインＤＭに関する情報として送信する。
【０１０４】
ＵＰＳステーションコントローラ１５は、ＵＰＳステーションＳＴ毎に１つずつ設けられる。そして、ＵＰＳステーションＳＴに属する小型ＵＰＳ７と、その他の負荷機器とを管理する。
【０１０５】
図４は、ＵＰＳステーションコントローラ１５が組み込まれたコンピュータ端末８を示す構成図である。
【０１０６】
ＵＰＳステーションコントローラ１５は、ＵＰＳグループコントローラ１３におけるコントローラユニット２１と同様な構成のコントローラユニット２１と、電源ユニット２２と、を備える。コントローラユニット２１は、内蔵型記憶媒体２３、中央処理装置２４、メモリ２５、システムバス２６、上位通信インタフェース（上位通信Ｉ／Ｆ）２７、下位通信インタフェース（下位通信Ｉ／Ｆ）２８、タイマ２９、入出力ポート（Ｉ／Ｏポート）３０が接続されている。Ｉ／Ｏポート３０には、モニタ３１、キーボード３２、ポインティングデバイス３３が接続されている。これらの構成要素は、図２に示すＵＰＳグループコントローラ１３と同様の構成要素を採用することができる。この実施の形態１では、ＵＰＳステーションコントローラ１５は、ＵＰＳグループコントローラ１３と同一の構成部材を一部採用しており、同一の構成要素には同一の符号を付して説明を省略する。
【０１０７】
ＵＰＳステーションコントローラ１５の内蔵型記憶媒体２３には、コンピュータ端末８にＵＰＳステーションコントローラ１５を実現するためのＵＰＳステーションコントローラプログラム５１と、ＵＰＳステーションデータベース５２と、ＵＰＳドメインコントローラ１４の固定ＩＰアドレス５３と、大型ＵＰＳ１の固定ＩＰアドレス５４と、が記憶されている。
【０１０８】
ＵＰＳステーションデータベース５２には、ＵＰＳステーション内の全てのＵＰＳドメインＤＭに関する情報、大型ＵＰＳ１に関する情報、大型ＵＰＳ１とＵＰＳドメインＤＭとの接続関係を示す情報と、が記憶されている。
【０１０９】
ＵＰＳドメインＤＭに関する情報は、ＵＰＳドメインＤＭの定義情報と、各ＵＰＳドメインコントローラ１４から受信した情報と、で構成される。各ＵＰＳドメインコントローラ１４から受信した情報は、ＵＰＳグループＧＲに関する情報で構成される。各ＵＰＳグループＧＲに関する情報は、小型ＵＰＳ７に関する情報と、その他の負荷機器に関する情報と、で構成される。
【０１１０】
大型ＵＰＳ１に関する情報は、たとえば、大型ＵＰＳ１の電力供給能力、機能、型番などの仕様情報や、動作スケジュール、電力切り換え条件、バッテリ電力の供給時間、設定情報や、大型ＵＰＳ１の現在の動作状態情報などで構成されている。
【０１１１】
大型ＵＰＳ１とＵＰＳドメインＤＭとの接続関係を示す情報は、図１に示す電源系統そのままに、大型ＵＰＳ１と電源ケーブル３で接続されているメイン分電盤４のリストと、そのメイン分電盤４と電源ケーブル３で接続されているサブ分電盤５のリストと、そのサブ分電盤５と電源ケーブル３で接続されている壁面コンセント６のリストと、その壁面コンセント６と電源ケーブル３で接続されている小型ＵＰＳ７およびその他の負荷機器のリストと、で構成されている。
【０１１２】
他にも、大型ＵＰＳ１とＵＰＳドメインＤＭとの接続関係を示す情報は、たとえば、大型ＵＰＳ１と電源ケーブル３で接続されているＵＰＳドメインＤＭのリストで構成したり、大型ＵＰＳ１と電源ケーブル３で接続されている小型ＵＰＳ７のリストで構成してもよい。さらに、上述した複数のリストから一部のリストを省略したリストであってもよい。
【０１１３】
ＵＰＳステーションコントローラプログラム５１は、ステーションデータベース管理プログラム５５と、ステーション監視プログラム５６と、電力系統図出力プログラム５７と、を備える。なお、中央処理装置２４がステーションデータベース管理プログラム５５を実行することで管理手段が実現される。中央処理装置２４がステーション監視プログラム５６を実行することで生成手段が実現される。中央処理装置２４が電力系統図出力プログラム５７を実行することで生成手段が実現される。
【０１１４】
ステーションデータベース管理プログラム５５を実行する中央処理装置２４は、上位通信Ｉ／Ｆ２７から各ＵＰＳドメインコントローラ１４および大型ＵＰＳ１からの情報を収集するとともに、この収集した情報で、ＵＰＳステーションデータベース５２を更新する。なお、この収集処理は、周期的であっても、必要に応じたものであってもよい。
【０１１５】
そして、このステーションデータベース管理プログラム５５を実行する中央処理装置２４は、ＵＰＳドメインコントローラ１４毎におよび大型ＵＰＳ１毎に、連続した記憶領域を確保し、各記憶領域にそれぞれから受信した情報を登録する。これにより、各小型ＵＰＳ７に関する情報およびその他の負荷機器に関する情報は、ＵＰＳドメインＤＭ毎に、ＵＰＳグループＧＲ毎に、さらには小型ＵＰＳ７毎に整理されて、ＵＰＳステーションデータベース５２に記憶される。したがって、中央処理装置２４は、ＵＰＳドメインデータベース４２上での情報の配列に基づいて、各小型ＵＰＳ７と負荷機器との接続関係を把握することができる。
【０１１６】
また、ステーションデータベース管理プログラム５５を実行する中央処理装置２４は、モニタ３１に所定の入力画面を表示させて、キーボード３２などから、大型ＵＰＳ１の固定ＩＰアドレス５４を入力させる。そして、中央処理装置２４は、この固定ＩＰアドレスから大型ＵＰＳ１に関する情報を受信し、その受信した情報をＵＰＳステーションデータベース５２に登録する。
【０１１７】
なお、中央処理装置２４は、大型ＵＰＳ１から情報を取得することができない場合には、キーボード３２などから大型ＵＰＳ１に関する情報を入力させ、この入力された情報をＵＰＳステーションデータベース５２に登録する。
【０１１８】
ステーション監視プログラム５６を実行する中央処理装置２４は、ＵＰＳステーションデータベース５２に登録されている情報をモニタ３１に表示する。また、中央処理装置２４は、キーボード３２などから入力された情報に基づいて設定情報や制御情報を生成し、これらを上位通信Ｉ／Ｆ２７からネットワークに接続されている機器へ送信する。なお、このネットワークに接続されている機器とは、ＴＣＰ／ＩＰを用いて情報の送受信を行う機器を意味し、この実施の形態１では、ＵＰＳドメインコントローラ１４、ＵＰＳグループコントローラ１３、小型ＵＰＳ７、コンピュータ端末８などがある。なお、この制御情報が小型ＵＰＳ７や大型ＵＰＳ１に対して送信された場合には、制御信号として利用される。
【０１１９】
図５は、図１に示す電源システムを、ＵＰＳステーションコントローラ１５のモニタ３１に表示するウィンドウを示す表示画面である。
【０１２０】
このウィンドウには、その左側に、大型ＵＰＳ１の負荷系統情報でもある、電源システムのツリー６１が表示されている。このツリー６１では、ルートの下に、大型ＵＰＳ１の名前を表示する表示オブジェクトが接続されている。大型ＵＰＳ１の下には、ＵＰＳドメインＤＭのドメイン名を表示する表示オブジェクトが接続されている。ＵＰＳドメインＤＭの下には、ＵＰＳグループＧＲの名前を表示する表示オブジェクトおよび、ＵＰＳグループＧＲに属さないコンピュータ端末８の名前を表示する表示オブジェクトが接続されている。ＵＰＳグループＧＲの下には、小型ＵＰＳ７の名前を表示する表示オブジェクトが接続されている。小型ＵＰＳ７の下には、その他の負荷機器の名前を表示する表示オブジェクトが接続されている。
【０１２１】
そして、ウィンドウの右側のエリアには、このツリー６１から選択されている表示オブジェクトに対応する機器の詳細な情報が表示されている。また、ウィンドウの上に表示されている表示ボタン６２、設定ボタン６３、制御ボタン６４のうちのいずれか１つを選択することで、ウィンドウの右側のエリアに表示される内容が切り替えられる。たとえば、表示ボタン６２が選択されれば、ＵＰＳステーションデータベース５２から読み出した仕様情報や状態情報が表示される。設定ボタン６３が選択されれば、設定項目名とＵＰＳステーションデータベース５２から読み出した現在の設定情報とが表示される。制御ボタン６４が選択されれば、制御項目名とＵＰＳステーションデータベース５２から読み出した現在の状態情報とが表示される。
【０１２２】
また、設定情報や状態情報が更新された場合、ステーション監視プログラム５６を実行する中央処理装置２４は、そのときに選択されている表示オブジェクトに対応する機器へ、その更新された情報を送信する。
【０１２３】
ところで、ステーション監視プログラム５６を実行する中央処理装置２４は、上述した電源システムのツリー６１を、ＵＰＳステーションデータベース５２の登録情報に基づいて生成する。
【０１２４】
上述したように、ＵＰＳステーションデータベース５２において、負荷機器に関する情報は、ＵＰＳステーションＳＴ毎にまとめられている。また、ＵＰＳステーションＳＴ内では、ＵＰＳドメインＤＭ毎にまとめられている。また、ＵＰＳドメインＤＭ内では、ＵＰＳグループＧＲ毎にまとめられている。さらに、ＵＰＳグループＧＲ内では、小型ＵＰＳ７毎に、それに接続されているその他の負荷機器がまとめられている。そして、ＵＰＳステーションコントローラ１５の中央処理装置２４は、たとえば、ＵＰＳドメインデータベース４２を先頭から検索し、ある小型ＵＰＳ７に関する情報が検出されたら、次の小型ＵＰＳ７に関する情報が検出されるまでの間に登録されているその他の負荷機器は、先の小型ＵＰＳ７に接続されているものと判断する。
【０１２５】
このようなＵＰＳステーションデータベース５２の検索処理と判断処理によって、中央処理装置２４は、各大型ＵＰＳ１とＵＰＳドメインＤＭとの接続情報を生成し、各ＵＰＳドメインＤＭとＵＰＳグループＧＲとの接続情報を生成し、各ＵＰＳグループＧＲと小型ＵＰＳ７との接続情報を生成し、各小型ＵＰＳ７とその他の負荷機器との接続情報を生成する。そして、ＵＰＳステーションコントローラ１５の中央処理装置２４は、これらの接続情報に基づいて、それぞれの機器の名前を表示するオブジェクト同士を互いに接続したツリー６１を生成し、モニタ３１に表示する。
【０１２６】
電力系統図出力プログラム５７を実行する中央処理装置２４は、ＵＰＳステーションデータベース５２に登録されている情報を用いて、大型ＵＰＳ１の負荷系統情報でもある、大型ＵＰＳ１の負荷系統図を生成し、モニタ３１に表示する。あるいは、図示外のプリンタで印刷する。
【０１２７】
具体的には、中央処理装置２４は、ＵＰＳステーションデータベース５２の全ての領域を検索して、各大型ＵＰＳ１とメイン分電盤４との接続情報を生成し、各メイン分電盤４とサブ分電盤５との接続情報を生成し、各サブ分電盤５と小型ＵＰＳ７との接続情報を生成し、各小型ＵＰＳ７とその他の負荷機器との接続情報を生成する。そして、これらの接続情報に基づいて、それぞれの機器の名前を表示するオブジェクト同士を互いに接続した大型ＵＰＳ１の負荷系統図を生成し、モニタ３１に表示する。あるいは、図示外のプリンタで印刷する。
【０１２８】
図６は、電力系統図出力プログラム５７を実行する中央処理装置２４が生成する、図１に示す大型ＵＰＳ１の負荷系統図である。
【０１２９】
この大型ＵＰＳ１の負荷系統図では、その左上に、大型ＵＰＳ１を示すオブジェクトがレイアウトされる。その右側に、メイン分電盤４を示すオブジェクトがレイアウトされる。その右側に、サブ分電盤５を示すオブジェクトが縦一列にレイアウトされる。その右側に、小型ＵＰＳ７を示すオブジェクトが縦一列にレイアウトされる。その右側に、その他の負荷機器を示すオブジェクトが縦一列にレイアウトされる。このレイアウトでは、負荷系統図の左側から右側へ電力が供給される。なお、壁面コンセント６は、省略されている。
【０１３０】
なお、ＵＰＳステーションコントローラ１５のモニタ３１の表示画面サイズや、印刷用紙のサイズによっては、サブ分電盤５や小型ＵＰＳ７、その他の負荷機器を示すオブジェクトを縦一列にレイアウトすることができない場合がある。そのような場合には、その他の負荷機器を示すオブジェクトの右側に、レイアウトすることができないサブ分電盤５や小型ＵＰＳ７、その他の負荷機器をレイアウトする。また、小型ＵＰＳ７に接続されていないその他の負荷機器は、小型ＵＰＳ７と同列にレイアウトしてもよい。
【０１３１】
また、最上段に大型ＵＰＳ１を示すオブジェクトをレイアウトするとともに、その下に順番に、メイン分電盤４を示すオブジェクト、サブ分電盤５を示すオブジェクト、小型ＵＰＳ７を示すオブジェクトおよびその他の負荷機器を示すオブジェクトをレイアウトしてもよい。このレイアウトでは、負荷系統図の上から下へ電力が供給される。
【０１３２】
次に、この負荷系統図において、ＵＰＳドメインＤＭの範囲や、ＵＰＳグループＧＲの範囲を、たとえば破線などで囲んで表示してもよい。また、各オブジェクトの下に、機器の型番や名称などを併せて表示してもよい。
【０１３３】
さらに、大型ＵＰＳ１とＵＰＳドメインＤＭとの接続関係を示す情報として、大型ＵＰＳ１と電源ケーブル３で接続されているＵＰＳドメインＤＭのリストや、大型ＵＰＳ１と電源ケーブル３で接続されている小型ＵＰＳ７のリストが登録されている場合には、図６の大型ＵＰＳ１の負荷系統図からメイン分電盤４やサブ分電盤５が省略された負荷系統図が生成される。
【０１３４】
次に、このような構成を有する監視システムおよび電源システムの全体的な動作について説明する。
【０１３５】
ＵＰＳグループコントローラ１３は、それぞれのＵＰＳグループＧＲ内の小型ＵＰＳ７およびその他の負荷機器に関する情報を、ＵＰＳグループデータベース３５に登録する。また、ＵＰＳグループコントローラ１３は、このＵＰＳグループデータベース３５に登録されている情報を上位通信Ｉ／Ｆ２７からネットワークへ送信する。
【０１３６】
このＵＰＳグループコントローラ１３から送信された情報には、ＵＰＳドメインコントローラ１４の固定ＩＰアドレスが付加されている。そのため、指定された固定ＩＰアドレスを有するＵＰＳドメインコントローラ１４は、このＵＰＳグループコントローラ１３から送信された情報を受信し、ＵＰＳドメインデータベース４２に登録する。
【０１３７】
また、ＵＰＳグループコントローラ１３は、それぞれのＵＰＳグループデータベース３５を周期的に更新するとともに、このＵＰＳグループデータベース３５の登録情報をＵＰＳドメインコントローラ１４へ周期的に送信する。そのため、ＵＰＳドメインデータベース４２には、ＵＰＳドメインＤＭ内の小型ＵＰＳ７に関する最新の情報、その他の負荷機器に関する最新の情報が登録される。
【０１３８】
このようなＵＰＳドメインデータベース４２の更新処理が周期的に実行されている状況で、ＵＰＳステーションコントローラ１５においてステーションデータベース管理プログラム５５が実行されると、ＵＰＳステーションコントローラ１５からＵＰＳドメインコントローラ１４への送信要求がネットワークに送信される。ＵＰＳドメインコントローラ１４は、この送信要求を受信して、ＵＰＳドメインデータベース４２に登録されている情報の全てを応答送信する。なお、登録情報の一部を要求に応じて応答送信してもよい。ＵＰＳステーションコントローラ１５は、このＵＰＳドメインコントローラ１４からの情報を受信し、ＵＰＳステーションデータベース５２に登録する。
【０１３９】
同様に、ＵＰＳステーションコントローラ１５から大型ＵＰＳ１へ送信要求が送信される。そして、これに応じて大型ＵＰＳ１から送信される大型ＵＰＳ１に関する情報は、ＵＰＳステーションデータベース５２に登録される。
【０１４０】
また、ＵＰＳステーションコントローラ１５において、キーボード３２などから大型ＵＰＳ１とＵＰＳドメインＤＭとの接続関係に関する情報が入力されると、この入力された情報は、ＵＰＳステーションデータベース５２に登録される。
【０１４１】
以上の一連の処理によって、ＵＰＳステーションデータベース５２には、大型ＵＰＳ１から負荷機器までの最新の接続情報が登録される。
【０１４２】
ＵＰＳステーションコントローラ１５においてＵＰＳステーション監視プログラム５６が実行されると、ＵＰＳステーションデータベース５２での情報の登録順に対応するツリー６１が生成される。そして、図５に示すように、このツリー６１がＵＰＳステーションコントローラ１５のモニタ３１に表示される。
【０１４３】
ＵＰＳステーションコントローラ１５を使用して電源システムを管理する管理者は、このモニタ３１に表示される電源システムの使用情報、設定情報、動作状態情報などを用いて、電源システムを監視することができる。
【０１４４】
なお、各ＵＰＳドメインＤＭや機器の詳細な情報を表示するためには、ツリー６１の中から対応する表示オブジェクトを選択すればよい。これにより、ウィンドウの右側に、選択したオブジェクトの詳細な情報が表示される。
【０１４５】
ＵＰＳステーションコントローラ１５において電力系統図出力プログラム５７が実行されると、ＵＰＳステーションデータベース５２の登録情報に基づいて、大型ＵＰＳ１の負荷系統図が生成され、モニタ３１に表示される。
【０１４６】
以上のように、この実施の形態１に係る監視システムでは、複数のＵＰＳグループコントローラ１３が分担して保持する複数の負荷機器の接続情報は、ＵＰＳドメインコントローラ１４を介して、ＵＰＳステーションコントローラ１５へ送信される。ＵＰＳステーションコントローラ１５は、ＵＰＳステーションデータベース５２に登録されている、複数の負荷機器の接続情報と大型ＵＰＳ１の接続情報とを用いて、大型ＵＰＳ１の負荷系統のツリー６１や負荷系統図を生成する。
【０１４７】
したがって、大型ＵＰＳ１が設置される建物の電力系統についての知識を有する管理者は、電源システムを構成する大型ＵＰＳ１、小型ＵＰＳ７、その他の負荷機器を、ＵＰＳステーションコントローラ１５において一元的に監視制御することができる。また、管理者は、その知識をＵＰＳステーションコントローラ１５に入力するだけで、ツリー６１や大型ＵＰＳ１の負荷系統図などの大型ＵＰＳ１の負荷系統情報を得ることができる。
【０１４８】
ＵＰＳドメインコントローラ１４は、ＵＰＳステーションコントローラ１５からの送信要求が入力されると、これに応じて複数の負荷機器に関する情報をＵＰＳステーションコントローラ１５へ送信する。したがって、管理者は、ＵＰＳステーションコントローラ１５の内蔵型記憶媒体２３に、複数のＵＰＳドメインコントローラ１４の固定ＩＰアドレス５３を登録するだけで、電源システムを監視し、且つ、ツリー６１や大型ＵＰＳ１の負荷系統図などの大型ＵＰＳ１の負荷系統情報を得ることができる。
【０１４９】
また、この構成では、ＵＰＳドメインコントローラ１４を複数設けることで、大型ＵＰＳ１の負荷系統を複数に分割し、それぞれの分割された負荷系統毎に負荷機器の接続情報を収集している。つまり、ＵＰＳドメインコントローラ１４毎に作業者を設定し、各作業者に、分割された負荷系統を管理させることができる。そして、負荷機器のレイアウト変更などかあった場合には、その作業者は、それに応じて負荷機器の接続情報が正しく変更されているか否かを、ＵＰＳドメインコントローラ１４において簡単に確認することができる。
【０１５０】
ＵＰＳグループコントローラ１３は、送信先のＵＰＳドメインコントローラ１４を指定して、それぞれの分割された負荷系統に属する負荷機器の接続情報を送信する。したがって、負荷機器のレイアウト変更などに伴ってＵＰＳグループコントローラ１３のレイアウトも変更されたとしても、ＵＰＳグループコントローラ１３は、負荷機器の接続情報をＵＰＳドメインコントローラ１４へ送信することができる。そのため、作業者は、負荷機器のレイアウト変更や追加がある度に、ＵＰＳグループコントローラ１３からＵＰＳドメインコントローラ１４へ負荷機器の接続情報が送信されるように設定を変更したりする必要がない。
【０１５１】
このように、複数のＵＰＳグループコントローラ１３が保持する負荷機器の接続情報は、一旦、ボトムアップ式に複数のＵＰＳドメインコントローラ１４へ送信され、さらに、この複数のＵＰＳドメインコントローラ１４からＵＰＳステーションコントローラ１５へ送信される。そのため、上述するように、ＵＰＳドメインコントローラ１４毎の作業員と管理者との共同作業によって、簡単に、大型ＵＰＳ１の負荷系統情報を生成することができる。たとえ、大型ＵＰＳ１が設置される建物のフロアや部屋において負荷機器の接続状態が変更されたとしても、これに対応する負荷系統情報を簡単に生成することができる。
【０１５２】
しかも、ＵＰＳドメインコントローラ１４毎に作業者を割り当てることで、管理者は、大型ＵＰＳ１が設置される建物全体の負荷機器の接続状態を管理する必要がなくなる。その結果、管理者は、建物全体を管理する場合に比べて格段に低い管理労力にて、大型ＵＰＳ１の負荷系統情報を得ることができる。また、この負荷系統情報を用いて建物全体の電源状態を改善するように、各作業者に指示することもできる。
【０１５３】
特に、この実施の形態１では、ＵＰＳドメインコントローラ１４は、大型ＵＰＳ１が設置される建物のフロア毎にあるいは部屋毎に、配設されている。そのため、大型ＵＰＳ１の負荷系統は、フロア毎あるいは部屋毎に分割されている。
【０１５４】
したがって、各作業者は、フロアあるいは部屋の壁面コンセント６よりも下流側の負荷系統を管理すればよい。つまり、各作業者は、目視にて接続状態を確認できる範囲を管理すればよい。
【０１５５】
その結果、作業者は、ＵＰＳドメインコントローラ１４に集められている負荷機器の接続情報と、各フロアあるいは各部屋内で目視にて確認できる実際の負荷機器の接続状態とを、確実且つ簡単に確認することができる。
【０１５６】
それゆえ、各フロアや各部屋において負荷機器の接続状態が変更されたとしても、ＵＰＳドメインコントローラ１４は、実際の負荷機器の接続状態に対応する負荷機器の接続情報を、ＵＰＳステーションコントローラ１５へ送信することができる。
【０１５７】
また、この監視システムにおいて、大型ＵＰＳ１の接続情報には、大型ＵＰＳ１と負荷機器との間の電力供給経路上に配設されるメイン分電盤４やサブ分電盤５などの電力機器に関する情報、および、その電力機器の接続情報が含まれ、ＵＰＳステーションコントローラ１５は、このメイン分電盤４やサブ分電盤５を含めた大型ＵＰＳ１の負荷系統図を生成する。
【０１５８】
したがって、この大型ＵＰＳ１の負荷系統図は、単に、大型ＵＰＳ１と負荷機器との接続関係を示す負荷系統情報とは異なり、大型ＵＰＳ１よりも電力供給経路下流側の電力系統情報として利用することができる。その結果、管理者は、たとえばメイン分電盤４やサブ分電盤５などの建物に付属する電力機器を含めた電力系統の全体を、現状の負荷機器の接続状態に応じて検討することができる。
【０１５９】
実施の形態２．
【０１６０】
図７は、この発明の実施の形態２に係るＵＰＳステーションコントローラ１５が組み込まれたコンピュータ端末８を示す構成図である。これ以外の電源システムの構成および監視システムの構成は、実施の形態１と同様であり、説明を省略する。
【０１６１】
電力系統図出力プログラム７１を実行する中央処理装置２４は、ＵＰＳステーションデータベース５２に登録されている情報を用いて、大型ＵＰＳ１の負荷系統情報でもある、大型ＵＰＳ１の負荷系統図を生成し、モニタ３１に表示させる。あるいは、図示外のプリンタで印刷させる。
【０１６２】
具体的には、中央処理装置２４は、ＵＰＳステーションデータベース５２の全ての領域を検索して、各大型ＵＰＳ１とメイン分電盤４との接続情報を生成し、各メイン分電盤４とサブ分電盤５との接続情報を生成し、各サブ分電盤５と小型ＵＰＳ７との接続情報を生成し、各小型ＵＰＳ７とその他の負荷機器との接続情報を生成する。そして、中央処理装置２４は、これらの接続情報に基づいて、それぞれの機器の名前を表示するオブジェクト同士を互いに接続した大型ＵＰＳ１の負荷系統図を生成し、モニタ３１に表示している。
【０１６３】
引き続いて、中央処理装置２４は、ＵＰＳステーションデータベース５２から各負荷機器の動作状態情報としての消費電力を読出し、その総和を演算する。そして、中央処理装置２４は、その負荷系統情報の動作状態情報中の総消費電力と、ＵＰＳステーションデータベース５２から読み出した大型ＵＰＳ１の動作状態情報中の供給電力とを比較する。その結果、負荷系統情報の実際の総消費電力と大型ＵＰＳ１の実際の供給電力とが異なると判断される場合には、中央処理装置２４は、大型ＵＰＳ１の負荷系統図に、その旨を警告する警告表示を重ねて、モニタ３１に表示する。
【０１６４】
なお、ＵＰＳステーションコントローラ１５のこれ以外の構成要素は、実施の形態１の図４に示すＵＰＳステーションコントローラ１５と同一の構成部材であり、実施の形態１と同一の符号を付して説明を省略する。
【０１６５】
そして、この実施の形態２に係るＵＰＳステーションコントローラ１５を採用すれば、管理者は、大型ＵＰＳ１の負荷系統図とともに表示される警告表示に基づいて、大型ＵＰＳ１の負荷系統図が、実際の負荷機器の接続状態と一致していないことを、簡単に把握することができる。
【０１６６】
その結果、管理者は、各作業者にそれぞれの管理区域を確認させ、各ＵＰＳドメインコントローラ１４における負荷機器の接続情報を必要に応じて修正させることで、大型ＵＰＳ１の負荷系統図やツリー６１を、実際の負荷機器の接続状態に一致させた状態に維持することができる。
【０１６７】
実施の形態３．
【０１６８】
図８は、本発明の実施の形態３に係る監視システムが監視する電源システムを示すシステム構成図である。
【０１６９】
大型ＵＰＳ８１は、図示外の発電機あるいは蓄電部材とともに、図示外のモデムを備える。そして、このモデムは、それとダイヤルアップ接続にて接続される機器との間で、通信回線を確立する。また、モデムがこの通信回線から起動信号や停止信号などの制御信号を受信すると、大型ＵＰＳ８１は、この制御信号に応じて電力供給を制御する。モデムが通信回線から設定情報を受信すると、大型ＵＰＳ８１は、この受信情報で内部のメモリの設定情報を更新する。
【０１７０】
図９は、この実施の形態３におけるＵＰＳドメインコントローラ１４が組み込まれたコンピュータ端末８を示す構成図である。
【０１７１】
ドメインデータベース送信プログラム９１は、ＵＰＳドメインコントローラ１４の起動とともに、中央処理装置２４にて実行される。そのため、ＵＰＳドメインコントローラ１４において、ドメインデータベース送信プログラム９１が使用するポート番号のポートは、開いたままになる。
【０１７２】
なお、このドメインデータベース送信プログラム９１が使用するポート番号は、予め定められている。また、このドメインデータベース送信プログラム９１が使用するポート番号と、ドメインデータベース管理プログラム４３が使用するポート番号とは、互いに異なる番号に定められている。
【０１７３】
ＵＰＳドメインコントローラ１４のこれ以外の構成要素は、実施の形態１の図３に示すＵＰＳドメインコントローラ１４の構成要素と同一であり、同一の符号を付して説明を省略する。
【０１７４】
図１０は、この実施の形態３におけるＵＰＳステーションコントローラ１５が組み込まれたコンピュータ端末８を示す構成図である。
【０１７５】
ステーションデータベース管理プログラム１０１を実行する中央処理装置２４は、上位通信Ｉ／Ｆ２７を介して各ＵＰＳドメインコントローラ１４からの情報を収集し、この収集した情報でＵＰＳステーションデータベース５２を更新する。
【０１７６】
中央処理装置２４は、上位通信Ｉ／Ｆ２７を介して各ＵＰＳドメインコントローラ１４からの情報を収集するにあたって、内蔵型記憶媒体２３に記憶されている検索範囲のＩＰアドレス１０２（ＵＰＳステーションＳＴ内の各ＵＰＳドメインコントローラ１４に付与された固定ＩＰアドレスを含む所定の範囲のＩＰアドレス）を順番に指定して、ネットワークに接続されている各機器の開いているポート番号を調査する。そして、中央処理装置２４は、ドメインデータベース送信プログラム９１が使用するポート番号のポートが開いている機器が検索されたら、この機器に対して送信要求を送信する。
【０１７７】
これにより、ＵＰＳステーションコントローラ１５は、検索範囲のＩＰアドレス１０２を有する全てのＵＰＳドメインコントローラ１４から、負荷機器の接続情報を受信することができる。
【０１７８】
また、ステーションデータベース管理プログラム１０１を実行する中央処理装置２４は、内蔵型記憶媒体２３に記憶されている大型ＵＰＳ１のダイヤルアップ番号１０３を用いて、モデム１０４と大型ＵＰＳ８１との間に通信回線を確立させる。そして、中央処理装置２４は、モデム１０４を介して大型ＵＰＳ８１からの情報を受信し、この受信情報をＵＰＳステーションデータベース５２に登録する。
【０１７９】
中央処理装置２４によるこれらの情報の収集処理は、周期的であっても、必要に応じたものであってもよい。
【０１８０】
なお、ＵＰＳステーションコントローラ１５のこれ以外の構成要素は、実施の形態２の図７に示すＵＰＳステーションコントローラ１５と同一の構成部材であり、図７の構成要素と同一の符号を付して説明を省略する。
【０１８１】
また、これ以外の電源システムの構成要素および監視システムの構成要素は、実施の形態１と同様であり、説明を省略する。
【０１８２】
そして、この実施の形態３に係るＵＰＳステーションコントローラ１５を採用すれば、ＵＰＳステーションコントローラ１５は、ネットワークに接続されているＵＰＳドメインコントローラ１４を検索し、このＵＰＳドメインコントローラ１４から負荷機器の接続情報を収集することができる。
【０１８３】
このようにＵＰＳステーションコントローラ１５が追加される各ＵＰＳドメインコントローラ１４を含めて自動的にＵＰＳドメインコントローラ１４にアクセスするので、その結果、作業者は、管理者の許諾を得ることなく自由にＵＰＳドメインコントローラ１４を追加したり、変更することができる。また、事前にバックアップ用のＵＰＳドメインコントローラ１４を準備しておき、動作中のＵＰＳドメインコントローラ１４が停止してしまった場合には、すぐにそのバックアップ用のＵＰＳドメインコントローラ１４を起動して、負荷機器の接続情報が確実にＵＰＳステーションコントローラ１５へ送信されるようにすることができる。
【０１８４】
なお、ＵＰＳステーションコントローラ１５の内蔵型記憶媒体２３に記憶させる検索範囲のＩＰアドレス１０２は、たとえば、ＵＰＳステーションコントローラ１５自身のＩＰアドレスと、サブネットマスクとの組み合わせとして内蔵型記憶媒体２３に記憶させてもよい。
【０１８５】
以上の実施の形態は、本発明の好適な実施の形態であるが、本発明の要旨を逸脱しない範囲において、種々の変更が可能である。たとえば、ＵＰＳグループコントローラ１３やＵＰＳステーションコントローラ１５に固定ＩＰアドレスを付与しているが、これらは動的ＩＰアドレスであってもよい。
【０１８６】
特に、実施の形態３の監視システム構成において、実施の形態３のＵＰＳステーションコントローラ１５と同様に、ＵＰＳグループコントローラ１３は、ポート番号を検索し、ＵＰＳドメインコントローラ１４がＵＰＳグループコントローラ１３との通信のために使用するポート番号のポートが開いている場合には、そのＵＰＳドメインコントローラ１４へ負荷機器の接続情報を送信するようにしてもよい。これにより、ＵＰＳドメインコントローラ１４にも動的ＩＰアドレスを使用することができる。
【０１８７】
同様に、実施の形態３のＵＰＳドメインコントローラ１４は、ポート番号を検索し、大型ＵＰＳ１がＵＰＳドメインコントローラ１４との通信のために使用するポート番号のポートが開いている場合には、その大型ＵＰＳ１へ送信要求を送信し、これに応じて大型ＵＰＳ１から大型ＵＰＳ１に関する情報を受信するようにしてもよい。これにより、大型ＵＰＳ１にも動的ＩＰアドレスを使用することができる。
【０１８８】
また、以上の実施の形態では、ＵＰＳグループコントローラ１３と、ＵＰＳドメインコントローラ１４と、ＵＰＳステーションコントローラ１５との３種類のコントローラで監視システムを構成している。これ以外にも、たとえば、ＵＰＳグループコントローラ１３とＵＰＳドメインコントローラ１４との間に、ＵＰＳグループコントローラ１３からの情報をＵＰＳグループコントローラ１３と受信し、これをＵＰＳグループコントローラ１３と同様の動作にてＵＰＳドメインコントローラ１４へ送信するＵＰＳワーキンググループコントローラを設けてもよい。また、ＵＰＳステーションコントローラ１５よりも上位に、ＵＰＳステーションコントローラ１５と同様の動作にて、複数のＵＰＳステーションコントローラ１５から情報を収集する上位のコントローラを設けてもよい。
【０１８９】
さらに、以上の実施の形態では、ＵＰＳステーションコントローラ１５からＵＰＳドメインコントローラ１４へ送信要求を送信し、この送信要求に応じてＵＰＳドメインコントローラ１４からＵＰＳステーションコントローラ１５へ負荷機器の接続情報を送信している。これ以外にも、たとえば、ＵＰＳドメインコントローラ１４にＵＰＳステーションコントローラ１５の固定ＩＰアドレスを記憶させて、ＵＰＳドメインコントローラ１４からＵＰＳステーションコントローラ１５へ負荷機器の接続情報を送信するようにしてもよい。
【０１９０】
ただし、このようにＵＰＳドメインコントローラ１４がボトムアップ式に負荷機器の接続情報を送信する場合には、負荷機器の接続情報を最新の状態に維持するためにＵＰＳドメインコントローラ１４は周期的に負荷機器の接続情報を送信しなければならない。したがって、ＵＰＳステーションコントローラ１５が必要に応じて送信要求を送信した場合に比べて、ネットワーク上を伝送される情報量が約２倍に膨れ上がってしまう。その結果、ネットワークの情報伝送能力が同一である場合には、ＵＰＳステーションコントローラ１５にて収集することが可能な負荷機器の最大個数が約半分になってしまい、ビルなどの建物全体の電力供給経路全体を監視する場合にはとても不利な構成になってしまう。
【０１９１】
【発明の効果】
本発明では、簡単且つ低労力にて、大型無停電電源装置の負荷系統情報を生成することが可能となる。このため、大型無停電電源装置が設置される建物の電力系統についての知識を有する管理者に、負荷機器の接続状態について直接的に管理させる必要も減少または無くなることとなる。
【図面の簡単な説明】
【図１】  本発明の実施の形態１に係る監視システムが監視する電源システムを示すシステム構成図である。
【図２】  図１中のＵＰＳグループコントローラが組み込まれたコンピュータ端末を示す構成図である。
【図３】  図１中のＵＰＳドメインコントローラが組み込まれたコンピュータ端末を示す構成図である。
【図４】  図１中のＵＰＳステーションコントローラが組み込まれたコンピュータ端末を示す構成図である。
【図５】  図１中のＵＰＳステーションコントローラのモニタに表示されるウィンドウを示す表示画面である。
【図６】  図１中のＵＰＳステーションコントローラが生成する大型無停電電源装置の負荷系統図である。
【図７】  本発明の実施の形態２に係るＵＰＳステーションコントローラが組み込まれたコンピュータ端末を示す構成図である。
【図８】  本発明の実施の形態３に係る監視システムが監視する電源システムを示すシステム構成図である。
【図９】  図８中のＵＰＳドメインコントローラが組み込まれたコンピュータ端末を示す構成図である。
【図１０】    図８中のＵＰＳステーションコントローラが組み込まれたコンピュータ端末を示す構成図である。
【符号の説明】
１，８１  大型無停電電源装置（大型ＵＰＳ）
２  商用交流電源（交流電源）
４  メイン分電盤（電力機器）
５  サブ分電盤（電力機器）
６  壁面コンセント（電力機器）
７  小型無停電電源装置（小型ＵＰＳ、負荷機器）
８  コンピュータ端末（負荷機器）
９  ネットワークサーバ（負荷機器）
１０  ハブ（ネットワークの一部、負荷機器）
１１  データベース（負荷機器）
１２  通信ケーブル（ネットワークの一部）
１３  ＵＰＳグループコントローラ（下位コントローラ）
１４  ＵＰＳドメインコントローラ（中位コントローラ）
１５  ＵＰＳステーションコントローラ（上位コントローラ）
２７  上位通信インタフェース（上位通信Ｉ／Ｆ、通信インターフェース部材）
３２  キーボード（入力部材）
３３  ポインティングデバイス（入力部材）
２３  内蔵型記憶媒体
２４  中央処理装置（管理手段の一部、生成手段の一部）
５５，１０１  ステーションデータベース管理プログラム（管理手段の一部）
５６  ステーション監視プログラム（生成手段の一部）
５７，７１  電力系統図出力プログラム（生成手段の一部）
６１  ツリー（大型無停電電源装置の負荷系統情報）
【図１】
0003899287.tif 000002
【図２】
0003899287.tif 000003
【図３】
0003899287.tif 000004
【図４】
0003899287.tif 000005
【図５】
0003899287.tif 000006
【図６】
0003899287.tif 000007
【図７】
0003899287.tif 000008
【図８】
0003899287.tif 000009
【図９】
0003899287.tif 000010
【図１０】
0003899287.tif 000011